Podtech/llm-jp-corpus-v4-ja_patent huggingface dataset:
(57)【要約】      （修正有）【課題】家庭又は銭湯等の浴室の壁面に添付する風景画を提供する。【解決手段】浴室の壁特に銭湯の湯船３の上部の壁４に磁気を含むシート１を張りつけ、又は磁気を含む塗料を塗り、裏面に薄い鉄シートを張りつけ表面にカラー等にて印刷し切り抜いた風景画５を適宜に壁に張りつけるが、風景画５は四季それぞれに張り替えられるため入浴が楽しくなる。【選択図】図２
0003205809.tif 000002
【実用新案登録請求の範囲】
【請求項１】
家庭の浴室の壁及び銭湯の浴槽上部の壁に磁気を含むシートを貼り付け、裏面に薄い鉄シートを貼りつけ表面にカラー等にて風景画を印刷したシートを切り抜き、浴室の壁に張りつけた磁気を含むシートに、切り抜いた風景画を浴室の壁面に貼り付けたシートに適宜に張り付けた、浴室の壁面に添付する風景画
銭湯等の浴槽の上部の壁面に磁気を含むシートを貼りつけ、又は磁気を含む塗料で塗り固め、裏面に薄い鉄シートを貼りつけ表面にカラー等にて風景画を印刷したシートを切り抜き、磁気を含むシート又は磁気を含む壁面に適宜に張りつけた、浴室の壁面に添付する風景画。
【考案の詳細な説明】
【技術分野】
【０００１】本実用新案は、家庭又は銭湯等の浴室の壁面に風景画を添付する技術である。
【背景技術】
【０００２】家庭の浴室の壁に風景画を添付する絵画は販売されているが、時が立つと飽きが来てしまい、又銭湯等の壁の風景も描く職人が高齢になり書き換えることが出来ない。
【実用新案の開示】
【実用新案が解決しようとする課題】
【０００３】銭湯のような公衆浴場ではその道の専門家が絵を描き直すようですが、今では高齢のため描く人が居なくなり同じ絵がそのままの様です。
【課題を解決するための手段】
【０００４】本考案は、家庭の浴室の時は壁面に磁気を含むシートを張りつけ、銭湯等では壁面に磁気を含むシートを全面に張りつけるか磁気を含む塗料を全面に塗り、裏面に薄い鉄シートを貼りつけ表面にカラー等で色々な風景画を印刷したシートを切り抜き、壁面に切り抜いた風景画を磁気を含むシートに適宜に貼り付ける。
上記のような構造であるため、貼りつける位置及び風景画を変える事で明日はどんな景色になっているか銭湯に通って来る人の楽しみになる。
【考案の効果】
【０００５】壁面の景色を変えることが出来るため入浴が楽しくなる。
【考案を実施するための最良の形態】
【０００６】家庭の浴室では浴槽の前の壁面に磁気を含むシートを貼りつけ、裏面に薄い鉄シートを貼り付け表面にカラー等で印刷した風景画を切り抜き、壁面の磁気をを含むシートにに適宜に張りつける。
銭湯等では湯船の上全面の壁に、磁気を含むシートを張りつけるか磁気を含む塗料を塗り、切り抜いた風景画を適宜に張りつける。
【実施例】
【０００７】家庭では磁気を含むシート１を浴室の壁面２に貼りつけ、又は銭湯等では湯船３の上部壁面４に磁気を含むシート１を貼りつけるか磁気を含む塗料を全面に塗り、裏面に薄い鉄シートを張りつけ表面にカラー等にて印刷し切り抜いた風景画５を、適宜に場所を変え貼付ける事で日又は週によって色々な景色を楽しむことが出来る。
銭湯等では湯船４の上部の風景画５を書き変えるのに、職人が高齢になり描き換えが出来ず同じ絵を見つめる事になり、この事を打破するため浴室の壁面に切り抜いた風景画を適宜に貼り付けることで、春は桜秋は紅葉等趣を変える事が出来る。
【図面の簡単な説明】
【図１】  家庭の浴室に本考案の風景画を貼付した時の図
【図２】  銭湯等の浴槽の上部に本考案の風景画を貼付した時の図１      磁気を含むシート
２      家庭の浴室の壁面
３      銭湯等の湯船
４      銭湯の湯船の上部壁面
５      切り抜いた風景画
【図１】
0003205809.tif 000003
【図２】
0003205809.tif 000004
【手続補正書】
【提出日】平成28年5月27日(2016.5.27)
【手続補正１】
【補正対象書類名】実用新案登録請求の範囲
【補正対象項目名】全文
【補正方法】変更
【補正の内容】
【実用新案登録請求の範囲】
【請求項１】
家庭の浴室の壁面に背景絵を描いた磁気を含むシートを張り付け、裏面に薄い鉄シートを貼りつけ表面にカラー等で印刷し切り抜いた風景画を、浴室に張り付けたシートの前に適宜に移動し張り付けた家庭用浴室の風景画。
【請求項２】
銭湯等の浴槽の上部の壁面に磁気を含むシートを張り付け、又は磁気を含む塗料で塗りかため背景絵を描き、裏面に薄い鉄シートを張り付け表面にカラー等で印刷し切り抜いた風景画を、適宜に移動し背景絵に張り付けた銭湯等の浴槽上部の風景画。
(57)【要約】      （修正有）【課題】暗所で発光する事により鍵穴を見やすくしたり、鍵を探しやすくできるＬＥＤ照明付き電子鍵キーケースを提供する。【解決手段】鍵キーケースの正面部分、側面部分に照明躯体１を設ける。鍵をキーケースよりスライドして出した際にＬＥＤ照明機能が作動し点灯又は点滅する。また、付属機能としてＧＰＳ機能、音機能、振動機能などを設ける。遺失、防犯、視聴覚障害を持つ方にも優しい鍵キーケースとなる。【選択図】図１
0003205806.tif 000002
【実用新案登録請求の範囲】
【請求項１】
鍵  キー  を収納可能としたＬＥＤ照明付き  電子鍵  キーケースとする
正面のＬＥＤ照明部分の形状及び躯体部分の形状  材質  サイズは限定しないとする
【請求項２】
名称に関して
英名では  ＬＩＧＨＴ  ＫＥＹＣＡＳＥ
ＬＥＤ  ＫＥＹＣＡＳＥ  ＢＯＸなど
和名では  照明付きキーケース
ＬＥＤライト  照明付きキーケース  キーボックス等
光  照明を連想させる物がついた  電子鍵ケース全ての物とする
【請求項３】
付属機能としてスイッチと連動しての  音機能  振動機能  発光点滅機能  ＧＰＳ機能が付いたものも  同様とする
【考案の詳細な説明】
【技術分野】
【０００１】  本考案は一般に使用する道具  鍵  キーケース  ボックスの利便性に関する
【背景技術】
【０００２】  従来の鍵  キーケースは  単に鍵  キーを収納するものであり  暗所での解錠
防犯  遺失などの機能で不便である
【先行技術文献】
【特許文献】
【０００３】
【特許文献１】  特開２００２−０９５５１０
【非特許文献】
【０００４】
【非特許文献１】  ＣＣＣメディアハウス刊  ニューズウィーク日本版  ＳＴＡＲ  ＷＡＢＳ表紙
【考案の概要】
【考案が解決しようとする課題】
【０００５】以上に述べた従来の鍵  キーケースは単に鍵キーを  収納  保管するものであり暗所での解錠  防犯  遺失などに配慮がされていなかった【０００６】本考案は  このような従来の問題を解決しようとするものであり実用てきかつ安全に  全ての人が使用できる  鍵  キーケースボックスを実現する事を目的とする
【課題を解決するための手段】
【０００７】そして本考案は上記目的を達成するために  鍵  キーケースの正画部分  側面部分に照明躯体を設け  ＬＥＤ発光体が点灯  点滅する事により  暗所での解錠を容易にし  防犯  遺失の防止  視聴覚障害を持つ方への配慮を補助実現するものである【０００８】また  その他の課題解決は  照明機能の付属機能として  音  振動機能  ＧＰＳ機能などを設ける事により  児童  視聴覚障害を持つ方  認知症の方等の安全に配慮して  本体に付属機能を設けた構成としたものである【０００９】上記の課題解決手段による作用は次の事である  すなわち  鍵  キーケースボックスの正面  側面部分に発光躯体を設けることにより  暗所での作業に利便性をはかったり  安全性を確保できる【００１０】またその他の課題解決による作用は  音  振動  ＧＰＳ  点滅機能を設けることにより  児童  視聴覚障害  認知症の方などにも使用しやすくなる
【考案の効果】
【００１１】上述したように本考案の  鍵  キーケースボックスは  照明機能及び付属機能により暗所での利便性及び安全性を確保できるものである【００１２】また  補助機関として  ソーラーバッテリーを使用すると長期にわたって使用できるものである
【図面の簡単な説明】
【００１３】
【図１】  本考案の実施形態を示す具体的構造説明  （Ａ）正面図（Ｂ）背面図（Ｃ）側面図１  鍵  キーが出ている状態（Ｄ）逆側面図２  鍵  キー収納時
【考案を実施するための形態】
【００１４】以下  本説明の実施形態を図１に基づいて説明する
【００１５】図１においての９に関しては従来ある鍵キーである
２は鍵  キーケース本体部分で有り  内部に電子基板  ＬＥＤ照明部品  その他の機能に関係する部品が内蔵されている  １は照明発光部分である  ３はスイッチ部分である  ５は電池蓋部分である  ６はリング掛け部分である  ７は鍵キーの差し込み部分である  ４は付属機能としての音声出力部分である  ８はソーラー発電受光部分である
【００１６】３は押すことにより  ＬＥＤ照明の点灯  音声出力  振動機能を切り替えられるものとする
３の周りにも１  ＬＥＤ照明部分があり光センサーなどにより点滅するものとする
５及び８の部分にはソーラー発電機能が付く場合受光部分となる
【００１７】７は鍵キーの差し込み部分である（Ｂ）の３のスイッチのロックを解除することにより  鍵  キーの交換を可能とする９を２の７に差し込むと内部のロック機能により固定される９は収納する際は２の鍵  キーケースの内部に押すことにより収納される
１０にて９の動きを説明  普段９を使用しない場合は（Ｄ）の状態になるなお９を使用する際は３を押す事により自動的に出てくる（Ｄ）の図より９の収納状態時は（Ｃ）の図の３の周りにある１が点滅する
【００１８】２の部分は  電子鍵  キーケースボックス本体部分である
材質及び色  サイズは限定しないが極力コンパクトなサイズとする
各機能の動作においてはボタン電池を使用するが可能であれば８部分にてソーラー発電で併用もしくはまかなえるとなおよい  物とする
【００１９】１の部分は発光体躯体部分である  ＬＥＤ照明を使用する
色は白色より全ての色とする（Ｃ）図の１は９が内部に収納された際に点滅するものとする
【００２０】２の本体部分には  付属機能として音声出力  振動機能が備わるとなおよい
【００２１】上述の事より１から８までは全て完全防水仕様とする
【産業上の利用可能性】
【００２２】児童から老人  障害を持たれている方など全ての人に優しいユニバーサル考案である
【符号の説明】
【００２３】  １  発光体躯体  ＬＥＤ照明部分
２  鍵  キーケース本体部分
３  スイッチ部分
４  音声出力部分
５  電源蓋部分
６  リング掛け部分
７  鍵  キー差し込み部分
８  ソーラー発電受光部分
９  鍵  キー
１０  鍵  キーの可動の方向
１１  リング
【図１】
0003205806.tif 000003
【手続補正書】
【提出日】平成28年5月20日(2016.5.20)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤの照明躯体が設けられていることを特徴とする鍵を収納可能とした電子鍵キーケース。
【請求項２】
付属機能としてスイッチと連動しての音機能、振動機能、発光点滅機能又はＧＰＳ機能を備えたことを特徴とする請求項１に記載の電子鍵キーケース。
(57)【要約】      （修正有）【課題】既製のシャツの襟に、簡単に着脱が可能で、しかも装飾性やファッション性に優れ、その場の雰囲気に服装を適合できる、襟カバーを提供する。【解決手段】表面を覆うカバー部１と、カバー部１に折り曲げ部４を介して連接され首表面に接する内層部２と、カバー部１の裏側の内層部２側とは反対側の端部にカバー部１に連接されて設けられてなる襟係止部５ａ〜５ｃと、内層部２の長さ方向の両端に設けられてなる接合手段３ａ、３ｂとで、襟カバーを構成する。接合手段３ａ、３ｂには、通常のボタンやフックの他、面ファスナーを用いることができる。また、カバー部１や内層部２には、布や皮革などを用いることが可能で、カバー部１と内層部２を異種材料で構成することも可能である。【選択図】図１
0003205962.tif 000002
【実用新案登録請求の範囲】
【請求項１】
シャツの襟を覆うカバーにおいて、表面を覆うカバー部と、前記カバー部に折り曲げ部を介して連接され首表面に接する内層部と、前記カバー部の裏側の前記内層部側とは反対側の端部に前記カバーに連接されて設けられてなる襟係止部と、前記内層部の長さ方向の両端に設けられてなる接合手段とを有することを特徴とする襟カバー。
【請求項２】
前記カバー部の両端部に、ボタンダウンシャツのボタンを係止するためのスリットが設けられてなることを特徴とする、請求項１に記載の襟カバー。
【考案の詳細な説明】
【技術分野】
【０００１】  本考案は、一般的に着用される、ワイシャツやドレスシャツと称されるシャツの襟を覆うことが可能な、襟カバーに関するものである。
【背景技術】
【０００２】  シャツは、一般的に、背広やスーツと称されるアウターとインナーとの間に着用され、夏季などの期間以外は、首の周囲に、ネクタイを締めて用いられる。そして、多くの場合、事務職や、営業職などの仕事着として用いられるので、デザインの観点からは、画一的であると言わざるを得ない。【０００３】  したがって、このようなシャツを、仕事以外の、例えば、勤務を終えた後の、いわゆるアフターファイブの時間帯にそのまま着用できるように、服装から受ける着用者の印象を変えることができれば、シャツの有用性が増加すると思われる。【０００４】  これに対し、主に、仕事に用いらえる服装の多様化を図ることを目的として、特許文献１には、上着の襟の着脱可能で、着用者の胸元や首周りを装飾できるように構成した、襟カバーが開示されている。しかし、ここに開示されている襟カバーは、背広のような上着に用いるための構成となっていて、シャツにそのまま用いることは困難である。
【先行技術文献】
【特許文献】
【０００５】
【特許文献１】  特開２００９−１８５４２３号公報
【考案の概要】
【考案が解決しようとする課題】
【０００６】  従って、本考案の課題は、既製のシャツの襟に、簡単に着脱が可能で、しかも装飾性やファッション性に優れ、その場の雰囲気に服装を適合できる、襟カバーを提供することにある。
【課題を解決するための手段】
【０００７】  本考案は、前記課題の解決のため、シャツの襟を覆うことが可能なカバーの構成を、鋭意検討した結果なされたものである。【０００８】  即ち、本考案は、シャツの襟を覆うカバーにおいて、表面を覆うカバー部と、前記カバー部に折り曲げ部を介して連接され首表面に接する内層部と、前記カバー部の裏側の前記内層部側とは反対側の端部に前記カバーに連接されて設けられてなる襟係止部と、前記内層部の長さ方向の両端に設けられてなる接合手段とを有することを特徴とする襟カバーである。【０００９】  また、本考案の襟カバーには、ボタンダウンシャツのボタンを係止するためのスリットを設けることも可能である。
【考案の効果】
【００１０】  本考案の襟カバーは、着用者の首の周囲に配される内層部と、それに折り返し部を介して連接されてなるカバー部を有し、カバーの裏側には、カバーと協働して、襟を挟むことが可能な襟係止部を有するので、シャツの襟への着脱が極めて容易である。しかも、内層部の長さ方向の両端には接合手段が備えられているので、内層部を着用者の首周囲に当接させた状態で、内層部の両端を、着用者の首の前で接合できる。【００１１】  この接合手段には、通常のボタンやフックの他、マジックテープ（登録商標）を用いることができる。また、カバー部や内層部には、布や皮革などを用いることが可能で、カバー部と内層部を異種材料で構成することも可能である。特にカバー部は、印刷などの手段で、表面に模様を構成することが可能な材質を選択するのが望ましい。【００１２】  また、シャツは、通常ネクタイを締めて着用するが、ネクタイの結び目は、着用者の首の前に配されるので、接合手段は、ネクタイに隠されるので、外見上の違和感は生じない。
【図面の簡単な説明】
【００１２】
【図１】  本考案に係る襟カバーの一例を示す図、図１（ａ）は表面、図１（ｂ）は裏面。
【図２】  本考案に係る襟カバーの一例をシャツの襟に取り付けた状態を示す図。
【考案を実施するための形態】
【００１３】  次に、本考案の実施の形態について、具体的な図を参照しながら説明する。
【００１４】  図１は、本考案に係る襟カバーの一例を示す図で、図１（ａ）は表面、図１（ｂ）は裏面である。図１において、１はカバー部、２は内層部、３ａ、３ｂは接合手段、４は折り返し部、５ａ、５ｂ、５ｃは襟係止部である。なお、ここでは、ボタンダウンシャツを着用する際に用いる、ボタン係止スリット６ａ、６ｂを設けた例を示している。
【００１５】  襟係止部５ａ、５ｂ、５ｃは、図１（ｂ）に示したように、図における下端に接合され、襟係止部５ａが、図における上側と右側が解放された状態、襟係止部５ｂが図における上側及び左右側が解放された状態、襟係止部５ｃが図における左側と上側が解放された状態となっている。このため、図示しないシャツの襟は、図における上側から、容易に襟係止部５ａ、５ｂ、５ｃに挿入することが可能で、シャツの襟の外側を、カバー部１で覆うことができる。
【００１６】  図２は、本考案に係る襟カバーの一例をシャツの襟に取り付けた状態を示す図である。ここに示したように、本考案に係る襟カバーは、内層部を着用者の首の周囲に当接させた状態で、接合手段３ａと接合手段３ｂを、着用者の首の前で接合し、襟カバーがずれたり、外れたりしないようにできるのは、前述のとおりである。
【００１７】  以上に説明したように、本考案によれば、既製のシャツに簡単に着脱可能で、着用者の服装から受ける印象を変えることができる襟カバーを提供できる。なお、本考案は、前記実施の形態に限定されるものではなく、本考案の分野における通常の知識を有する者であれば想到し得る、各種変形、修正を含む、本考案の要旨を逸脱しない範囲の設計変更があっても、本考案に含まれることは勿論である。
【符号の説明】
【００１８】１・・・カバー部    ２・・・内層部    ３ａ，３ｂ・・・接合手段
４・・・折り返し部    ５ａ，５ｂ，５ｃ・・・襟係止部
６ａ，６ｂ・・・ボタン係止スリット
【図１】
0003205962.tif 000003
【図２】
0003205962.tif 000004
(57)【要約】      （修正有）【課題】紙やＰＰ（ポリプロピレン）、合成フィルムに比べさらに比重の低い発泡スチロール製薄型シート、およびそれを使って滞空時間を長くできる飛行体を提供する。【解決手段】発泡倍率３０倍以上の発泡スチロールブロックを厚さ０．１ｍｍ〜２．０ｍｍにスライスした発泡スチロール製薄型シートを作成し、その薄型シートを使って浮遊体を制作する。【選択図】図２
0003205963.tif 000002
【実用新案登録請求の範囲】
【請求項１】
発泡倍率３０倍以上の発泡スチロールブロックを厚さ０．１ｍｍ〜２．０ｍｍにスライスした発泡スチロール製薄型シート
【請求項２】
請求項１の発泡スチロール製薄型シートを使った浮遊物
【考案の詳細な説明】
【技術分野】
【０００１】本考案は発泡スチロール製ブロックを薄くスライスした軽量且つ安価に出来上がるシートに関するものである
【背景技術】
【０００２】従来は折り紙で飛行体やカイトを作成し揚力をうけて浮遊させていた。
【考案の概要】
【考案が解決しようとする課題】
【０００３】従来は紙やＰＰ（ポリプロピレン）、合成フィルムで作った飛行体では比重が重すぎ滞空時間を延ばすことや誰でも簡単に飛ばすことが出来なかった。
この為、紙やＰＰ（ポリプロピレン）、合成フィルムに比べさらに比重の低い材料により飛行体の欠点を解決しようとするものである。
【課題を解決するための手段】
【０００４】図１のように発泡倍率３０倍以上の発泡スチロールブロックを厚さ０．１ｍｍ〜２．０ｍｍにスライスした発泡スチロール製薄型シートを提供する。【０００５】請求項２の考案は請求項１の発泡スチロール製薄型シートを使った図２のような浮遊物を提供する。
【考案の効果】
【０００６】発泡スチロール製薄型シートを使用することで、紙やＰＰ（ポリプロピレン）合成フィルムではできない比重の軽いシートが安価に大量生産できる。【０００７】軽量なシートによりライト兄弟らが苦心した揚力と重心について手軽に学習することができ、しかも予想外の形状の飛行体の製作が可能となる。【０００８】発泡スチロール製薄型シートを手でこすることで静電気をもたせ同じ極の静電気をもった塩ビ棒を浮遊する発泡スチロール製薄型シートの下部に位置すると静電気の反発により浮遊することが出来る。【０００９】以上のように理科の授業で学ぶ内容が遊びながら幼児のうちからも習得できる。【００１０】子供等のアイデアを元に大人の手伝いがあればアイデアの作品を製作可能になるので知育の教材としても使うことができる。
【図面の簡単な説明】
【００１１】
【図１】発泡スチロール製薄型シートの斜視図
【図２】飛行体の製作例の斜視図
【図３】紐を取り付けた飛行体の斜視図
【図４】プリント画像例
【考案を実施するための形態】
【００１２】以下本考案の形態を示す図面に基づき説明する
【００１３】図１では発泡倍率３０倍以上の発泡スチロール製ブロックをニクロム線に電流を流し、ニクロム線の熱で０．１ｍｍ〜２．０ｍｍの間に薄くスライスすることにより発泡スチロール製薄型シート１が得られる。
【００１４】発泡倍率とは、単位体積あたりの重量のことであり、単位として（リットル／ｋｇ）を使う。例えば、３０リットル体積の成形品の重量が５００ｇであれば、その成形品の倍率は６０倍ということになる。
【００１５】発泡倍率３０倍より小さい発泡スチロールブロックを原料に使用しても比重が高くなり課題が解決できない。
また、０．１ｍｍより薄くスライスすると均一の厚さにならず強度も弱く発泡スチロール薄型シートに穴が開いたりかすれたりし、２．０ｍｍより厚いと折り曲げると割れてしまい製品として使用できなくなる。
【００１６】ニクロム線でスライスした際に、熱で溶けた発泡スチロールブロックの上下層が空気を多く含む発泡スチロール中間層が形成され、軽量化された三層構造の薄いシートが得られる。この三層構造により折り曲げても再び元に戻ろうとする形状維持効果の性質が得られ、紙やポリプロピレン、合成フィルム等にはない軽量且つコシのある発泡スチロール薄型シート１が得られる。
【００１７】図２のように浮遊体の１つの例として、発泡スチロール製薄型シート１に水性のペンで飛行体の絵を描き水性のペンで描いた線に沿ってハサミでカットをすると飛行体の形状が出来上がる。出来上がった飛行体の形状の先端部分におもり３を貼って重量バランスが整えば、まっすぐ滑空する飛行体２が完成する。
【００１８】図３のように飛行体２に紐４を通し紐４の端を体に結合させ歩行すると飛行体２を浮上させることも可能である。
【００１９】飛行体２に各国の国旗、国名、また企業自治体のロゴマーク等を描き好きな形状にハサミ等でカットし形を整え、体育館やショッピングモール、地下街で配布し飛行させることにより応援や宣伝広告として様々なアイデアを表現できることにより用途は限りなく広がる。
【００２０】図４のように発泡スチロール製薄型シートに色々な絵をプリントアウトしたものを窓ガラスに貼ることにより室内の断熱効果と装飾効果を得ることができる。
【符号の説明】
【００２１】１  シート
２  飛行体
３  おもり
４  紐
５  プリント画像
【図１】
0003205963.tif 000003
【図２】
0003205963.tif 000004
【図３】
0003205963.tif 000005
【図４】
0003205963.tif 000006
(57)【要約】      （修正有）【課題】１本のブラシで２種のブラシの使用法ができるヘアブラシを提供する。【解決手段】弾力性のある稙設台を曲げて固定することにより、毛の角度を変える事を特徴とする。ヘアブラシの平面の状態でブラッシングができ、稙設台を曲げて固定した状態でブローやカールができる。１本で２種類のヘアブラシの用途ができる。携帯にも便利であり資源の節約にもなる。【選択図】図２
0003205961.tif 000002
【実用新案登録請求の範囲】
【請求項１】
弾力性のある稙設台を曲げて固定することにより  毛の角度を変える事を特徴とするヘアブラシ。
【考案の詳細な説明】
【技術分野】
【０００１】この考案は毛髪とブラッシングおよびカールするヘアブラシに関するものである。
【背景技術】
【０００２】従来のヘアブラシは毛の角度を変えて使用できない。。
【考案の開示】
【考案が解決しようとする課題】
【０００３】従来のヘアブラシは使用目的により合わせて何種もの毛の角度の変わったヘアブラシを購入する必要があった。
【課題を解決するための手段】
【０００４】本考案の弾力性のある稙設台を曲げて固定することにより  毛の角度を変える事のできるヘアブラシを提供する。
【考案の効果】
【０００５】［図１］の平面の状態でブラッシングができ［図２］稙設台を曲げて固定することによりブローやカールができる。１本のブラシで２種のブラシの使用法ができる。
【実施例】
【０００６】［図１］の平面の状態でブラッシングが出来［図２］のように稙設台を曲げて固定することにより  ブローやカールが１本のブラシで出来る。
【産業上の利用可能性】
【０００７】１本で２種の用途ができるので携帯に便利であるのと  資源の節約になろ。きる。
【図面の簡単な説明】
【０００８】
【図１】本考案のブラシの構造
【図２】本考案でブラシの曲げて固定したもの
【図１】
0003205961.tif 000003
【図２】
0003205961.tif 000004
(57)【要約】【課題】中空状の構造を備えた軽量歯ブラシを提供する。【解決手段】本考案の軽量歯ブラシは、本体を有し、該本体の一端にヘッド部が設けられると共に、他端に握持部が設けられ、該握持部の内部の長手方向に収容空間が凹設され、該収容空間の形状と対応する蓋部材が、該収容空間をカバーするように着脱可能に取り付けられ、そのため、本体の握持部に収容空間が凹設されることから、中空状となるので、歯ブラシを軽量化することができる。故に、旅行や排出の際に携帯しやすい。【選択図】図２
0003205917.tif 000002
【実用新案登録請求の範囲】
【請求項１】
本体を有し、該本体の一端にヘッド部が設けられると共に、他端に握持部が設けられ、該握持部の内部の長手方向に収容空間が凹設され、該収容空間の形状と対応する蓋部材が、該収容空間をカバーするように着脱可能に取り付けられることを特徴とする、
軽量歯ブラシ。
【請求項２】
前記握持部の蓋部材における、収容空間と反対する側のヘッド部の近傍に、複数のリブが設けられることを特徴とする請求項１に記載の軽量歯ブラシ。
【請求項３】
前記握持部の蓋部材の周囲に介在部が設けられることを特徴とする請求項１に記載の軽量歯ブラシ。
【請求項４】
前記ヘッド部に刷毛が植え付けられることを特徴とする請求項１乃至３の何れか１項に記載の軽量歯ブラシ。
【請求項５】
前記握持部が透明材質からなることを特徴とする請求項１乃至３の何れか１項に記載の軽量歯ブラシ。
【請求項６】
前記収容空間にスパンコールが設置されることを特徴とする請求項５に記載の軽量歯ブラシ。
【考案の詳細な説明】
【技術分野】
【０００１】
本考案は、中空状の構造を備えた軽量歯ブラシに関するものである。
【背景技術】
【０００２】
口腔ケアは、非常に重要であることから、朝と夜に日課として行う場合が多く、また、外出や旅行の際に歯ブラシを携帯し、食後に歯を磨いて口腔ケアを行う人も増えているので、近年では歯ブラシの軽量化も消費者にとって重要な要素の一つとなっている。例えば、図５に示すように、既存の歯ブラシは、握持部３０が単なる固体構造である。
【考案の概要】
【考案が解決しようとする課題】
【０００３】
上述したように、既存の歯ブラシの握持部３０は、単なる固体構造であることから、歯ブラシの重量を軽量化することができない。
【課題を解決するための手段】
【０００４】
本考案の軽量歯ブラシは、本体を有し、該本体の一端にヘッド部が設けられると共に、他端に握持部が設けられ、該握持部の内部の長手方向に収容空間が凹設され、該収容空間の形状と対応する蓋部材が、該収容空間をカバーするように着脱可能に取り付けられるものである。
【０００５】
かかる軽量歯ブラシにおいて、前記握持部の蓋部材における、収容空間と反対する側のヘッド部の近傍に、複数のリブが設けられることが好ましい。
【０００６】
かかる軽量歯ブラシにおいて、前記握持部の蓋部材の周囲に介在部が設けられることが好ましい。
【０００７】
かかる軽量歯ブラシにおいて、前記ヘッド部に刷毛が植え付けられることが好ましい。
【０００８】
かかる軽量歯ブラシにおいて、前記握持部が透明材質からなることが好ましい。
【０００９】
かかる軽量歯ブラシにおいて、前記収容空間にスパンコールが設置されることが好ましい。
【考案の効果】
【００１０】
本考案の軽量歯ブラシは、本体の握持部に収容空間が形成されることから、歯ブラシを軽量化することができる。
【００１１】
また、握持部にリブが設けられることから、歯を磨く時に滑り止め効果を提供でき、さらに、その握持部は、透明材質からなり、握持部の収容空間にスパンコールが設置されることから、デザイン性にも優れる。
【図面の簡単な説明】
【００１２】
【図１】本考案に係る軽量歯ブラシにおける第一実施例の斜視図である。
【図２】本考案に係る軽量歯ブラシにおける第一実施例の分解斜視図である。
【図３】本考案に係る軽量歯ブラシにおける第一実施例の側面断面図である。
【図４】本考案に係る軽量歯ブラシにおける第二実施例の斜視図である。
【図５】既存の歯ブラシの側面断面図である。
【考案を実施するための形態】
【００１３】
図１乃至図３に示すように、本考案に係る軽量歯ブラシの第一実施例は、細長状を呈する本体１０を有し、該本体１０の一端にヘッド部１１が設けられると共に、他端に握持部１２が設けられ、該ヘッド部１１に刷毛が植え付けられ、該握持部１２は細長状を呈し、透明材質からなり、その内部に収容空間１２１が形成され、該収容空間１２１にスパンコールが設置される。
【００１４】
前記収容空間１２１をカバーするように、該収容空間１２１の形状と対応する蓋部材１２２が着脱可能に取り付けられ、この構成により、中空状の握持部１２を構成する。尚、その蓋部材１２２はプラスチック材質の溶接手段によって収容空間１２１をカバーするように握持部１２に接着される。
更に、その蓋部材１２２における、収容空間１２１と反対する側のヘッド部１１の近傍に複数のリブ１２３が設けられる。
【００１５】
本考案の軽量歯ブラシを使用する時は、指でリブ１２３を押さえながら握持部１２を持って歯を磨くが、この時、蓋部材１２２にあるリブ１２３により滑り止め効果が発揮される。また、その握持部１２は、透明材質からなり、握持部１２の収容空間１２１にスパンコールが設置されるので、デザイン性にも優れている。
【００１６】
図４に示すように、本考案の軽量歯ブラシの第二実施例は殆ど第一実施例と同一であるが、握持部１２Ａにおける蓋部材１２２Ａの周囲に介在部２０Ａが設けられる点において異なる。
【００１７】
本考案の軽量歯ブラシは、本体１０の握持部１２に収容空間１２１が凹設されることから、中空状となるので、歯ブラシを軽量化することができる。故に、旅行や排出の際に携帯しやすい。
【符号の説明】
【００１８】
１０  本体
１１  ヘッド部
１２、１２Ａ  握持部
１２１  収容空間
１２２、１２２Ａ  蓋部材
１２３  リブ
２０Ａ  介在部
【図１】
0003205917.tif 000003
【図２】
0003205917.tif 000004
【図３】
0003205917.tif 000005
【図４】
0003205917.tif 000006
【図５】
0003205917.tif 000007
(57)【要約】      （修正有）【課題】トイレ使用時に着衣の裾当たりを固定することにより、着衣を汚す心配を解消できる着脱が容易で長さ調節が可能なバンドを提供する。【解決手段】伸縮性のある幅広のゴムバンドまたは紐を用い、裾幅が広く長いズボンをはいた右足と左足のひざ下に各々巻いてバックルで留め、アジャスターで長さを調整し安定させる。【選択図】図４
0003205953.tif 000002
【実用新案登録請求の範囲】
【請求項１】
ガウチョパンツ・キュロットパンツ・スラックス等長く裾幅の広いズボンを着用する場合に、裾を安定させるために片足ずつ巻き付ける伸縮性のある幅広状のゴムバンドまたは紐を係止具で留めた長さ調整可能なバンド
【考案の詳細な説明】
【技術分野】
【０００１】本考案は、ガウチョパンツ・キュロットパンツ・スラックス等長く裾幅の広いズボン等を着用して、和式または洋式トイレを使用する場合、裾が床・便器に触れなくし、着衣が落ちて汚れるのを防ぐために、トイレ使用前に巻き、使用後に外す留め具に関する。
【背景技術】
【０００２】女性がトイレを使用する場合、スカートはウエストを固定した状態でまくり上げ、ズボンは降ろしても足首のあたりで止まる。しかし、近年流行しているガウチョパンツ・幅広パンツ等はトイレ使用時、特に下着を降ろす時や上げる時にズボンが下にずり落ちるため、着衣を汚さぬよう足や手で押さえなければならなかった。
【先行技術文献】
【特許文献】
【０００３】
【特許文献１】  実開平６−２２３２５号マジックテープを使用しているので、パンツの素材によってはパンツ自体の生地を傷めてしまう可能性がある。【０００４】
【特許文献２】  実開平５−９６０２０号幅広のゴムバンドや紐を使用しておらず、アジャスターも使用していない。
【考案の概要】
【考案が解決しようとする課題】
【０００５】本考案は、このような事情に鑑みてなされたものである。トイレ使用時に、着衣の裾あたりを固定するバンドを用いることによって、着衣を汚す心配や、手でたくし上げたり、足で押さえたりする不便さを解消することができる。また、バックルがついていることにより簡単に着脱でき、小さくまとめることができるので、持ち運びに便利である。
【課題を解決するための手段】
【０００６】上記の課題を解決するために、本考案のガウチョバンドは伸縮性のある幅広のゴムバンドまたは紐を用い、ガウチョパンツ・キュロットパンツ・スラックス等の長いズボンをはいた右足と左足のひざ下に各々巻いてバックルで留め、アジャスターで調整し安定させる。
【作用】
【０００７】ガウチョバンドを着衣の上から巻いてバックルで留めることにより、トイレ使用時の着衣の固定個所を作り出し、主にガウチョのような裾幅の広いズボンでのトイレ使用を安全かつ簡便にする。
さらに体格、体型に関係なくアジャスターによって調整できる。
【考案の効果】
【０００８】今まではトイレが面倒だからと言ってガウチョパンツをはかなかった人がいると聞いているが、これがあることによって不便な点が解消されガウチョパンツの人気はさらに高まり、ガウチョパンツや裾幅の広いパンツの販売促進につながる。
さらにワンポイント付けたり、ゴムを柄にしたり着色したりすれば、ファッション性も高まる。
女性に限らず男性も着用できる。
濡れたくないところで使用することができる。
例えば介護をする際に、今までは要介護人をお風呂に入れる際、介助人はズボンの裾を２重３重と折り曲げていたが、これがあれば安定するところまで、引き上げることができる。
自転車に乗る際に裾が巻き込まれないように留めることができる。
【図面の簡単な説明】
【０００９】
【図１】バックルを留めた図
【図２】簡単に着脱可能であるバックルを示す図
【図３】平面図
【図４】使用例  長めのズボンは足首で留めて安定するところまで上げる。
【符号の説明】
【００１０】１  伸縮性のあるゴムバンドまたは幅広状のひも
２  バックル
３  長さが調整できるアジャスター
【図１】
0003205953.tif 000003
【図２】
0003205953.tif 000004
【図３】
0003205953.tif 000005
【図４】
0003205953.tif 000006
(57)【要約】      （修正有）【課題】ベランダを有する建物で１階の外壁に設置された点検梯子からの侵入を防止するカバーを提供する。【解決手段】侵入防止カバー本体５の内側５ａの上段、下段に吊り手手段であるフック６，７を設け、建物１階部分の外壁に固定されている屋根点検梯子の梯子踏み段に引っ掛けて覆い隠すことで梯子を登れなくし、外部からの侵入を防止する、しかしこの状態だと下側から持上げると梯子踏み段から外れる為、上段のフック７の間に逆動防止金具８を設け外れないように固定するのが好ましい。【選択図】図２
0003205954.tif 000002
【実用新案登録請求の範囲】
【請求項１】
建物の１階に設置する点検梯子に侵入者が登ることを防止する装置であって、前記点検梯子の下側からの少なくとも１以上の踏み段を覆い隠す、
上方から見て略コの字の板状のカバー本体と、
該カバー本体の内側に設けた前記踏み段に取り付けるための固定手段で構成されたことを特長とする侵入防止カバー。
【請求項２】
前記固定手段が、前記踏み段に引っかけて吊るすフック部と前記踏み段からの逸脱を防止する逆動防止金具で構成されたことを特長とする請求項１に記載の侵入防止カバー。
【考案の詳細な説明】
【技術分野】
【０００１】本考案は建築物１階部分から上階に向けて固定取り付けされている屋根点検梯子に関するものである。
【背景技術】
【０００２】  避難梯子に関し、常時は建物等の階上に可動梯子を引上げて他人が階下から侵入するのを防止する例がある。（例えば特許文献１参照）
【先行技術文献】
【特許文献】
【０００３】
【特許文献１】  実禄実用新案公報  第３０１９１４２号
【考案の概要】
【考案が解決しようとする課題】
【０００４】  建築物の外壁に設置される、屋根の点検や避難に用いる梯子において、地上から、踏み台等があれば梯子に届き、他人が容易に昇降することができ、防犯対策上問題がある。
特許文献１は、建物等の階上の側壁面に縦長に取付けられる固定梯子と、該固定梯子の前面に階下に自重により降下可能に重合して組付けられる可動梯子とから成り、前記固定梯子の上端と前記可動梯子の対応位置とに係合可能な錠止部品を設けたことを特徴とする避難梯子としている。しかし、装置が複雑で実用上課題がある。【０００５】本考案は上記欠点を解決するために、梯子を登れなくし、外部からの侵入を防止して防犯を確実になすことを目的とする。
【課題を解決するための手段】
【０００６】上記課題を解決するため、本考案は、建物の１階に設置する点検梯子に侵入者が登ることを防止する装置であって、前記点検梯子の下側からの少なくとも１以上の踏み段を覆い隠す、上方から見て略コの字の板状のカバー本体と、該カバー本体の内側に設けた前記踏み段に取り付けるための固定手段で構成されたことを特長とする侵入防止カバーとする。
また、前記固定手段が、前記踏み段に引っかけて吊るすフック部と前記踏み段からの逸脱を防止する逆動防止金具で構成されたことを特長とする侵入防止カバーとするのが好ましい。
【考案の効果】
【０００７】  本考案は侵入防止カバーの内側に引っ掛け吊るしフックを配設して梯子踏み段に上方向から引っ掛けて設置する。ただし下側から持ち上げると外れるため侵入防止カバー内側上部の左右のフックの中心に逆動防止金具を設けて下側からは持ち上げても外れないようにした。
本考案は１階部分の梯子の下側からの少なくとも１以上の踏み段を覆い隠す事で梯子を登れなくして外部から容易に侵入を確実に防止ができ、犯罪抑止に役立つ。
【図面の簡単な説明】
【０００８】
【図１】本考案の侵入防止カバーの実施例を示す説明図である。
【図２】本侵入防止カバーの説明図である。
【考案を実施するための形態】
【０００９】  本考案を実施する形態を図１、図２を用いて詳細に説明する。
図１は２階建ての建築物１の例で、ベランダ２を有していて、ベランダの壁２ａに点検梯子３が設置されている。点検梯子３は２本の左右の支柱４と踏み段４ａで構成される。点検梯子３には侵入防止カバー５が設置される。
つぎに、侵入防止カバー５について詳細に説明する。侵入防止カバー５は、上方から見て略コの字の板で形成されていて、点検梯子に５下方の左右の支柱４の外側から１個以上の踏み段を覆い隠すものである。
侵入防止カバー５は、図２では、侵入防止カバー本体５ａの内側の上段に左右の上段フック７を設ける。上段フックを適宜位置の踏み段４ａに引っかけ吊るして使用する。この状態では下側からは持ち上げると踏み段から逸脱するので外れないように逆動防止金具８を設ける。逆動防止金具８は図ではフックを逆方法にして使用した例を示したが逆動を阻止できればほかの形状であっても構わない。本例では逆動防止金具に設けた固定金具である蝶ネジ９を外すことによって、侵入防止カバー５を外すことができる。非常時にも容易に解除できるよう着脱自在とした。ちょうねじ９はカバー本体の内側に設けられているのでベランダ側から人の手で容易に操作できるが、地上からの侵入者は操作できないようにしている。
上段フックで機能を果たせると考えられるが、下側に２段目の踏み段に掛ける下側フック６を設けることもできる。
【実施例】
【００１０】  以下、添付図面に従って一実施例を説明する。５はプラスチックス等適宣素材にて一体化形成された侵入防止カバー本体で、６，７、は梯子踏み段の下段、上段部に引っ掛けて吊るすために、侵入防止カバー内側５ａに設けたフックで、５が下から持ち上げられても外れないようにするための逆動防止金具８を設け９の蝶ネジ等で着脱自在となる。【００１１】  本考案の一実施例は上述の如き構成からなるもので、２のようにベランダを配する建物において２ａの外壁に固定されている屋根点検梯子からの外部から侵入を防ぐ。
【符号の説明】
【００１２】  １    ２階建て建築物
２    ベランダ
２ａ  ベランダの壁
３    点検梯子
４    梯子支柱
４ａ  梯子踏み段
５    カバー本体
５ａ  カバー本体内側
６    下段フック
７    上段フック
８    逆動防止金具
９    蝶ネジ
１０  建物１階部分
【図１】
0003205954.tif 000003
【図２】
0003205954.tif 000004
(57)【要約】      （修正有）【課題】サインペンの使用後、筆記体の先端部分をキャップに収納する際、ペン先がキャップの内壁に触れインクが付着する。付着したインクは筆記体の先端底部を汚染する。その結果、サインペンを使用するとき、その部分を持った手指にインクが付着し、手指が汚染される。以上の問題点を解決するサインペンを提供する。【解決手段】キャップ１の内壁４か所に長さ約２０ｍｍ、高さ約２ｍｍ、厚さ約１ｍｍの突出板２を設ける。筆記体の先端底部３は突出板の高さ分だけ従来のものより細くし、直径で約４ｍｍ短く、６ｍｍ程度とする。【選択図】図３
0003205947.tif 000002
【実用新案登録請求の範囲】
【請求項１】
キャップの内壁４か所、時計の０時、３時、６時、９時を示す位置に長さ約２０ｍｍ、高さ約２ｍｍ、厚さ約１ｍｍの突出板を設け、筆記体の先端底部は突出板の高さ約２ｍｍ分だけ従来のものより細くし、直径で約４ｍｍ短い、６ｍｍ程度にした手指が汚染されないサインペン。
【考案の詳細な説明】
【技術分野】
【０００１】  本考案は使用している時、インクで手が汚染されないような構造をもつサインペに関するものである。
【背景技術】
【０００２】  幼児がサインペンのキャップを飲み込んで喉に詰まらせても、窒息などの危機を起こさない様な構造のキャップは考案されているが、使用時にインクで手指が汚染されないような工夫が施されたキャップの発明は報告されていない。
【先行技術文献】
【特許文献】
【０００３】
【特許文献１】  実願平４−９１８１７
【考案の概要】
【考案が解決しようとする課題】
【０００４】  サインペンで新聞紙やメモ帳に書き込んでいる時、いつの間にか手のひらと指がインクでかなり汚染されてくる。
汚染の原因を追求した結果、サインペンの構造に問題があることが分かった。
サインペンの使用後、筆記先端部分をキャップに収納する際、ペン先がキャップの内壁に触れインクが付着する。付着したインクは筆記先端底部を汚染する。その結果、サインペンを使用するとき、その部分を持った手指にインクが付着し、手指が汚染されてくる。
本考案は、以上の問題点を解決するためになされたものである。
【課題を解決するための手段】
【０００５】  キャップの内壁４か所（時計の０時、３時、６時、９時を示す位置）に長さ約２０ｍｍ、高さ約２ｍｍ、厚さ約１ｍｍの突起物を設ける。（図２−ｋ参照）
筆記先端底部は上記の突出板の高さだけ従来のものより細くなり、直径で約４ｍｍ短く、６ｍｍ程度になる。（図３−ｋ参照）
本考案は、以上の構成よりなる手指が汚染されないサインペンである。
【考案の効果】
【０００６】  キャップの内壁に突出板を設けることで、筆記先端部分をキャップに収納したとき、キャップの内壁と筆記先端底部が接触することがないので内壁に付着したインクによる汚染がないので、使用中に手指がインクで汚染されることがなくなった。
【図面の簡単な説明】
【０００７】
【図１】筆記先端部分を従来のキャップに収納するとき、キャップの内壁が筆記芯部のインクで汚染される様子を示した図である。
【図２】ｋは本考案のキャップにおけるＡ−Ａ’断面図である。ｗは従来のキャップにおけるＢ−Ｂ’断面図である。
【図３】ｋは本考案のキャップに筆記先端部分を収納したときの実施図で、キャップは縦断面図である。ｗは従来のキャップに筆記先端部分を収納したときの実施図で、キャップは縦断面図である。
【図４】ｋは本考案のキャップの斜視図である。ｗは本考案の筆記体の斜視図である。
【考案を実施するための形態】
【０００８】  以下、本考案の実施をするための形態について説明する。
円筒のキャップ（１）の内腔に突き出た、長さ２０ｍｍ、高さ２ｍｍ、厚さ１ｍｍ程度の突出板（２）を設ける。設置は、時計の０時、３時、６時、９時を示す位置になる。
筆記先端底部（突出板と接触する部分）（３）は従来の筆記体より直径で、４ｍｍ程度細くする。
本考案は以上のような構造である。
本考案を使用して、キャップ（１）に筆記体を収納する時、キャップ（１）の内壁が筆記芯部（１２）のインクで汚染されるが、筆記体（５）の指で持つ部分は突出板（２）に接触するだけで、汚染された内壁とは接触が全くなく、インクで汚染されることがなくなった。故に、字を書くためにキャップ（１）を外して筆記先端底部（３）を指で持って字を書いてもインクで汚染されることがなくなった。
【符号の説明】
【０００９】  １本考案のキャップ、２本考案のキャップ内壁に設けた突出板、
３本考案の筆記先端底部、４本考案の筆記先端部、５本考案の筆記体、
６本考案のクリップ、７従来のキャップ、８従来の筆記先端底部、
９従来の筆記先端部、１０従来の筆記体、１１従来のクリップ、
１２本考案の筆記芯部、１３従来の筆記芯部
【図１】
0003205947.tif 000003
【図２】
0003205947.tif 000004
【図３】
0003205947.tif 000005
【図４】
0003205947.tif 000006
(57)【要約】      （修正有）【課題】熱伝導の原理を利用し、温度的安全性の向上と容易な温度調節の利便性があるはんだ小手の台を提供する。【解決手段】小手受けのもっとも高温になる部分に、銅線１を取り付け、この銅線１の反対の端を他の金属５に触れさせる構造とし、金属熱伝導を使って温度調節を可能としたことを特徴とする。【選択図】図１
0003205942.tif 000002
【実用新案登録請求の範囲】
【請求項１】
１  はんだ小手の台において金属熱伝導を用いて温度調節を可能としたもの。
【考案の詳細な説明】
【技術分野】
【０００１】はんだ小手の置き台
【背景技術】
【０００２】
【考案の概要】
【考案が解決使用とする課題】
はんだ小手は短時間で高温になるため火傷・火災の原因となった。
【課題を解決するための手段】
はんだ小手の高温になる部分に銅線を取り付け、反対の端を他の金属に触れさせれば熱伝導の法則によって、はんだ小手や台を急冷できる。また、この端をＵターンさせて高温部近くに触れさせれば通常の温度特性となる。
【図面の簡単な説明】
【図１】・
【図２】はこの装置の全景。▲１▼は銅線▲２▼は支持体。▲３▼はらせん状の小手差し。▲４▼は金属製クリップ。▲５▼は他の金属。
【図１】
0003205942.tif 000003
【図２】
0003205942.tif 000004
【手続補正書】
【提出日】平成28年5月26日(2016.5.26)
【手続補正１】
【補正対象書類名】実用新案登録請求の範囲
【補正対象項目名】全文
【補正方法】変更
【補正の内容】
【実用新案登録請求の範囲】
【請求項１】
はんだ小手の置き台に於いて、小手受けのもっとも高温になる部分に、銅線を取り付け、この銅線の反対の端を他の金属に触れさせる構造とし、金属熱伝導を使って温度調節を可能としたことを特徴とするはんだ小手の台。
(57)【要約】【課題】デザイン性に優れたうちわを提供する。【解決手段】うちわ１０は、シート１２と、模様を形成する形状をなす模様形成部１４２及び模様形成部１４２から一方向に突出する突出部１４４をそれぞれ有し、シート１２を挟む一対のシート保持部材１４ａ、１４ｂと、突出部１４４の外側にそれぞれ設けられた一対の柄部材１６ａ、１６ｂと、を備える。シート１２は和紙であり、シート保持部材１４ａ、１４ｂはタント紙であることが好ましい。【選択図】図１
0003205988.tif 000002
【実用新案登録請求の範囲】
【請求項１】
シートと、
模様を形成する形状をなす模様形成部及び前記模様形成部から一方向に突出する突出部をそれぞれ有し、前記シートを挟む一対のシート保持部材と、
前記突出部の外側にそれぞれ設けられた一対の柄部材と、を備えたうちわ。
【請求項２】
請求項１記載のうちわにおいて、
前記シートが、和紙であり、
前記シート保持部材が、タント紙であるうちわ。
【考案の詳細な説明】
【技術分野】
【０００１】
本考案は、うちわに関する。
【背景技術】
【０００２】
従来のうちわは、扇部及び柄を有し、扇部の骨の表側及び裏側に地紙が張られている（例えば、特許文献１参照）。
すなわち、従来のうちわは、骨が地紙によって覆われている。
【先行技術文献】
【特許文献】
【０００３】
【特許文献１】実用新案登録第３１７０８２５号公報
【考案の概要】
【考案が解決しようとする課題】
【０００４】
本考案は、デザイン性に優れたうちわを提供することを目的とする。
【課題を解決するための手段】
【０００５】
前記目的に沿う本考案に係るうちわは、シートと、
模様を形成する形状をなす模様形成部及び前記模様形成部から一方向に突出する突出部をそれぞれ有し、前記シートを挟む一対のシート保持部材と、
前記突出部の外側にそれぞれ設けられた一対の柄部材と、を備える。
【０００６】
本考案に係るうちわにおいて、
前記シートが、和紙であり、
前記シート保持部材が、タント紙であることが好ましい。
【考案の効果】
【０００７】
本考案によれば、デザイン性に優れたうちわを提供できる。
【図面の簡単な説明】
【０００８】
【図１】（Ａ）、（Ｂ）はそれぞれ、本考案の一実施の形態に係るうちわの正面図及び側面図である。
【図２】（Ａ）、（Ｂ）はそれぞれ、同うちわの底面図及び平面図である。
【図３】図１（Ｂ）に示した柄部材の拡大図である。
【考案を実施するための形態】
【０００９】
続いて、添付した図面を参照しつつ、本考案を具体化した実施の形態につき説明し、本考案の理解に供する。なお、図において、説明に関連しない部分は図示を省略する場合がある。
【００１０】
本考案の一実施の形態に係るうちわ１０は、図１（Ａ）及び図１（Ｂ）並びに図２（Ａ）及び図２（Ｂ）に示すように、和紙１２、和紙１２を挟み込む一対の和紙保持部材１４ａ、１４ｂ、及び一対の柄部材１６ａ、１６ｂを備えている。
【００１１】
和紙（シートの一例）１２は、外形が円形状（図１（Ａ）に示す破線参照）であり、中央部に孔Ｈ１が形成されている。
【００１２】
各和紙保持部材（シート保持部材の一例）１４ａ、１４ｂは、例えば黒色のタント紙であり、和紙１２を保持する骨として機能する。
各和紙保持部材１４ａ、１４ｂは、模様形成部１４２及び突出部１４４を有している。
模様形成部１４２は、例えば、幾何学模様を形成する骨組みとなっており、接着剤が塗布された和紙１２を挟み込んで保持できる。従って、模様形成部１４２の隙間からは、和紙１２が視認される。
模様形成部１４２の外形は平面視して和紙１２の外形よりも大きい円形状となっている。模様形成部１４２の中央部には、和紙１２に形成された孔Ｈ１に対応し、孔Ｈ１よりも径が小さい孔Ｈ２が形成されている。
模様形成部１４２に形成される模様は、例えば家紋であってもよい。
【００１３】
突出部１４４は、模様形成部１４２から径方向に延び、平面視して矩形状である。
各和紙保持部材１４ａ、１４ｂ（模様形成部１４２及び突出部１４４）は、例えばレーザカットにより形成される。
【００１４】
各柄部材１６ａ、１６ｂは、平面視して矩形状の部材である。柄部材１６ａ、１６ｂは、互いにナット（不図示）及びねじ（不図示）を用いて固定され、一対の和紙保持部材１４ａ、１４ｂの突出部１４４を挟み込んでうちわ１０の柄を構成する（図３参照）。
なお、一対の柄部材１６ａ、１６ｂは、ナット（不図示）及びねじ（不図示）を用いることなく、それぞれ接着剤により和紙保持部材１４ａ、１４ｂに接着されていてもよい。
柄部材１６ａ、１６ｂの材質は、例えばヒノキ、楠及びビャクシンなど、香りの強い木材であることが好ましい。
【００１５】
以上説明したように、うちわ１０は、模様が形成され、和紙を保持する扇部の骨として機能する一対の和紙保持部材１４ａ、１４ｂと、各和紙保持部材１４ａ、１４ｂの突出部１４４の外側にそれぞれ設けられた一対の柄部材１６ａ、１６ｂと、を備えている。
すなわち、うちわ１０は、骨が地紙によって覆われた従来のうちわとは構造が異なり、デザイン性に優れる。
【００１６】
以上、本考案の実施の形態を説明したが、本考案は、上記した形態に限定されるものでなく、要旨を逸脱しない条件の変更等は全て本考案の適用範囲である。
各和紙保持部材１４ａ、１４ｂの模様形成部１４２に形成される模様は、図１（Ａ）に示した模様に限定されるものではない。
また、この模様は、幾何学模様に限定されるものではなく、任意の模様でよい。
更に、一対の和紙保持部材１４ａ、１４ｂの模様形成部１４２に形成される模様は、それぞれ同一であってもよいし、異なっていてもよい。
シートは、和紙に限定されるものではない。
【符号の説明】
【００１７】
１０  うちわ
１２  和紙
１４ａ、１４ｂ  和紙保持部材
１６ａ、１６ｂ  柄部材
１４２  模様形成部
１４４  突出部
Ｈ１、Ｈ２  孔
【図１】
0003205988.tif 000003
【図２】
0003205988.tif 000004
【図３】
0003205988.tif 000005